(57)【要約】      （修正有）【課題】少ない洗浄水で早期にサイホン作用を発生させることができる便器排水路を提供する。【解決手段】便器排水路は、水洗式便器の便鉢部１０の下部に連通しており、斜め上方に伸びて下流端が便鉢部１０よりも後方に位置した上昇流路３０と、この上昇流路３０の下流端に連続して下方に伸びており、内周面５１の後側５１Ｂから内側に張り出して左右方向に伸びている段部５５を有した下降流路５０と、この下降流路５０の下流端に連続して後方に伸びた横引き流路９０とを備えている。【選択図】図２
2017043943.tif 000002
【特許請求の範囲】
【請求項１】
水洗式便器の便鉢部の下部に連通しており、斜め上方に伸びて下流端が前記便鉢部よりも後方に位置した上昇流路と、
この上昇流路の下流端に連続して下方に伸びており、内周面の後側から内側に張り出して左右方向に伸びた段部を有した下降流路と、
この下降流路の下流端に連続して後方に伸びた横引き流路と、
を備えていることを特徴とする便器排水路。
【請求項２】
前記段部は前記下降流路の下部に形成されていることを特徴とする請求項１記載の便器排水路。
【請求項３】
前記段部は張り出し幅が左右中央部に比べて左右両端部を大きくしたことを特徴とする請求項１又は２記載の便器排水路。
【請求項４】
前記下降流路は、内周面の後側が前記段部の下側において、下方に向けて後側へ傾斜する傾斜面を有していることを特徴とする請求項１乃至３のいずれか１項記載の便器排水路。
【請求項５】
前記下降流路は、内周面の後側が下方に向けて内側へ傾斜し、前記段部に向けて洗浄水を流下させることを特徴とする請求項１乃至４のいずれか１項記載の便器排水路。
【請求項６】
前記下降流路は、流路方向に直交する断面形状において、前記段部よりも下方の内周面の前側が左右両端部よりも左右中央部が外側に突出し、前記内周面の前側の左右中央部から左右両端部における外側への膨らみが前記段部よりも上方に比べて少ない山型であることを特徴とする請求項１乃至５のいずれか１項記載の便器排水路。
【請求項７】
前記下降流路は溢れ面の下端から前記下降流路の内周面に沿って後方に向けて洗浄水を案内する案内部を有していることを特徴とする請求項１乃至６のいずれか１項記載の便器排水路。
【発明の詳細な説明】
【技術分野】
【０００１】
本発明は便器排水路に関するものである。
【背景技術】
【０００２】
特許文献１の図１〜図４は従来の便器排水路を開示している。この便器排水路は、上昇流路、下降流路、及び横引き流路を備えている。上昇流路は水洗式便器の便鉢部の下部に連通している。この上昇流路は斜め上方に伸びて下流端が便鉢部よりも後方に位置している。下降流路は上昇流路の下流端に連続して下方に伸びている。この下降流路は内周面の前側の左右中央部が下方に向けて後側へ僅かに傾斜している。また、この下降流路は、溢れ面の下端（下降流路の上流端の下面）よりも下方において、内周面の後側が略鉛直方向に伸びている。横引き流路は下降流路の下流端に連続して後方に伸びている。この便器排水路は下降流路と横引き流路との境界部の内周面の下面が平坦面に形成されている。
【０００３】
この便器排水路は、下降流路の内周面の前側に沿って流下した洗浄水が下降流路と横引き流路との境界部の内周面の下面に形成された平坦面に衝突し、横引き管路の上流端部の内周面の上側に向けて跳ね上がる。これによって、この便器排水路は、横引き流路の上流端部に水膜が形成され、サイホン作用を発生させることができる。
【先行技術文献】
【特許文献】
【０００４】
【特許文献１】特開２０１０−２３６２０３号公報
【発明の概要】
【発明が解決しようとする課題】
【０００５】
しかし、特許文献１の便器排水路は、下降流路と横引き流路との境界部の内周面の下面に形成された平坦面に勢いよく洗浄水が衝突し、横引き管路の上流端部の内周面の上側に向けて跳ね上がらなければ、水膜が形成されず、サイホン作用が発生しない。このため、この便器排水路は、便器洗浄を開始した後、平坦面に衝突した洗浄水が跳ね上がるまで下降流路を流下する洗浄水の流量（流量とは単位時間当たりに通過する水量をいう。）が増加しなければならず、サイホン作用が発生するまでに時間がかかる。
【０００６】
本発明は、上記従来の実情に鑑みてなされたものであって、少ない洗浄水で早期にサイホン作用を発生させることができる便器排水路を提供することを解決すべき課題としている。
【課題を解決するための手段】
【０００７】
本発明の便器排水路は、水洗式便器の便鉢部の下部に連通しており、斜め上方に伸びて下流端が前記便鉢部よりも後方に位置した上昇流路と、
この上昇流路の下流端に連続して下方に伸びており、内周面の後側から内側に張り出して左右方向に伸びた段部を有した下降流路と、
この下降流路の下流端に連続して後方に伸びた横引き流路と、
を備えていることを特徴とする。
【０００８】
この便器排水路は下降流路の内周面の後側から内側に張り出して左右方向に伸びた段部を有している。このため、この便器排水路は、下降流路の内周面の後側に沿って流下した洗浄水が段部に衝突して流れ方向が変化し、下降流路の上方から見た平面視における中央部（以下、下降流路の「中央部」とは、上方から見た平面視における中央部のことをいう。）に向けて流れ落ちる。これによって、この便器排水路は、下降流路の内周面の前側に沿って流下した洗浄水と、下降流路の内周面の後側に沿って流下した洗浄水とが、下降流路の中央部に集まり、少ない洗浄水で早期に水膜を形成することができる。このように、この便器排水路は、下降流路を流下する洗浄水の流量が少なくても、水膜が形成され、サイホン作用を発生させることができる。
【０００９】
したがって、本発明の便器排水路は少ない洗浄水で早期にサイホン作用を発生させることができる。
【００１０】
なお、下降流路の内周面の後側とは、下降流路の流路方向に直交する断面形状において、左右最大幅部分よりも後側のことであり、同様に下降流路の内周面の前側とは、下降流路の流路方向に直交する断面形状において、左右最大幅部分よりも前側のことである。
【００１１】
ここで、上下は水洗式便器を床面に設置した状態の上下である。また、前後は水洗式便器の便鉢部の先端側から見て手前側が前、奥側が後である。また、左右は水洗式便器の便鉢部の先端側から見た左右である（以下同じ。）。
【図面の簡単な説明】
【００１２】
【図１】実施例１の便器排水路を備えた水洗式便器の平面図である。
【図２】図１の矢視Ｘ−Ｘ断面図である。
【図３】実施例１の便器排水路の断面図である。
【図４】図３の矢視Ａ−Ａ断面図である。
【図５】図３の矢視Ｂ−Ｂ断面図である。
【図６】図３の矢視Ｃ−Ｃ断面図である。
【図７】図３の矢視Ｄ−Ｄ断面図である。
【図８】図３の矢視Ｅ−Ｅ断面図である。
【図９】図４の矢視Ｆ−Ｆ断面図である。
【発明を実施するための形態】
【００１３】
本発明における好ましい実施の形態を説明する。
【００１４】
本発明の便器排水路の段部は前記下降流路の下部に形成され得る。この場合、下降流路の内周面の後側に沿って流下した洗浄水が勢いよく段部に衝突するため、下降流路の内周面を流下する洗浄水の流量が少なくても、下降流路の内周面の前側に沿って流下した洗浄水とともに、下降流路の中央部で洗浄水が集まり、水膜を形成し易くなる。このため、この便器排水路は、下降流路を流れる洗浄水の流量が少なくても、水膜が形成され、サイホン作用を発生させることができる。
【００１５】
本発明の便器排水路の段部は張り出し幅が左右中央部に比べて左右両端部を大きくし得る。下降流路の内周面の後側において、左右中央部に比べて左右両端部に沿って流れる洗浄水は、下降流路の中央部に向けて流れ難い。このため、この便器排水路は、段部の左右中央部に比べて左右両端部における張り出し幅を大きくすることによって、下降流路の内周面の後側に沿って流れる洗浄水の全体が下降流路の中央部に向けて流れ落ちるようにすることができる。よって、この便器排水路は、下降流路を流下する洗浄水の流量が少なくても、水膜が形成され、サイホン作用を発生させることができる。
【００１６】
本発明の便器排水路の下降流路は、内周面の後側が前記段部の下側において、下方に向けて後側へ傾斜する傾斜面を有し得る。この場合、下降流路の段部から下側において横引き流路に向けて流れ方向が急激に変化するが、段部の下側において、下方に向けて後側へ傾斜する傾斜面を有していることによって、下降流路から横引き流路への洗浄水の流れをスムーズにすることができる。このため、この便器排水路は、紙等の汚物が下降流路の内周面の後側の下端部に引っ掛かることなく、良好に排出することができる。
【００１７】
本発明の便器排水路の下降流路は内周面の後側が下方に向けて内側へ傾斜し得る。この場合、この便器排水路は、下降流路の内周面の後側に沿って流下する洗浄水の流れ方向が、下方のみでなく下降流路の内側（中央部）へ向く。このため、この便器排水路は、下降流路の内周面の後側に沿って流下した洗浄水が下降流路の中央部に向けて流れ落ち、水膜が形成され、サイホン作用を発生させることができる。
【００１８】
本発明の便器排水路の下降流路は、流路方向に直交する断面形状において、前記段部よりも下方の内周面の前側が左右両端よりも左右中央部が外側に突出し、前記左右中央部から前記左右両端部に向けた内周面の外側への膨らみが前記段部よりも上方の膨らみに比べて少ない山型であり得る。この場合、下降流路の段部よりも下方の水膜が形成される領域において、流路面積を確保しつつ、下降流路の前側において左右両側の空間を小さくすることができる。このため、この便器排水路は、下降流路の内周面の前側に沿って流れた洗浄水と、下降流路の内周面の後側に沿って流れた洗浄水とが、水膜を形成する領域における左右両側においても合流し易く、水膜を形成することができる。よって、この便器排水路は、下降流路を流れる洗浄水の流量が少なくても、サイホン作用を発生させることができる。
【００１９】
本発明の便器排水路の下降流路は溢れ面の下端から前記下降流路の内周面に沿って後方に向けて洗浄水を案内する案内部を有し得る。この場合、この便器排水路は、上昇流路から下降流路に流れた洗浄水の一部が案内部に案内されて下降流路の内周面に沿って後方に向けて流れる。これによって、下降流路の内周面の後側の上部全体に洗浄水を流すことができる。このため、この便器排水路は、下降流路の内周面の全体から洗浄水が流下するため、水膜が形成され易く、サイホン作用を発生させることができる。
【００２０】
次に、本発明の便器排水路を具体化した実施例１について、図面を参照しつつ説明する。
【００２１】
＜実施例１＞
実施例の便器排水路を備えた水洗式便器は、図１及び図２に示すように、上面部材１、側面部材３、便鉢部材５、及び便器排水管７を有している。上面部材１、側面部材３、便鉢部材５、及び便器排水管７は、一体に形成されている。上面部材１は、後部に洗浄タンク（図示せず）を載置するタンク載置部１Ａを有し、前側の下方に便鉢部材５が連続して形成されている。便鉢部材５は便鉢部１０の外郭を形成している。便鉢部材５は上縁部に沿って左右中央から左方向に伸びた横長形状の吐水孔５Ａが形成されている。側面部材３は上面部材１の周縁部から下方に伸びて便鉢部材５の周りを覆っている。便器排水管７は便鉢部材５の下端に連続している。便器排水管７は便器排水路の外郭を形成している。便器排水路は、導入路２０、上昇流路３０、下降流路５０、及び横引き流路９０を備えている。
【００２２】
便鉢部１０は上端開口１１が上面部材１に鉛直方向を向いて開口している。便鉢部１０は、図１に示すように、上方から見た平面視において、上端開口１１が前後方向に長い略楕円形状である。便鉢部１０は、図２に示すように、下部が洗浄水を滞留する封水部の一部を構成している。便鉢部１０は下端部が鉛直方向を向いて開口している。便鉢部１０は、図１に示すように、上方から見た平面視において、下端開口１３が、水洗式便器の左右方向の略中央部であり、後ろ側に偏った位置に形成されている。
【００２３】
導入路２０は、図２に示すように、上流端が便鉢部１０の下端部に連続している。導入路２０は後方に向けて下側へ傾斜している。導入路２０は封水部の一部を構成している。導入路２０は下流端開口２３が前後水平方向を向いて開口している。
【００２４】
上昇流路３０は上流端が導入路２０の下流端に連続している。つまり、上昇流路３０は導入路２０を介して便鉢部１０の下部に連通している。上昇流路３０は、上流端部が斜め上方に向けて徐々に曲がり、後方に向けて上側に傾斜している。つまり、上昇流路３０は斜め上方に伸びている。上昇流路３０は導入路２０よりも急な傾斜角度である。上昇流路３０は、図４に示すように、流路方向に直交する断面形状において、内周面３１の前側３１Ａが左右両端よりも左右中央部が外側に突出した山型である。また、上昇流路３０は、流路方向に直交する断面形状において、内周面３１の後側３１Ｂが、左右中央部から左右両端部に向けて内側に僅かに湾曲し、左右両端部が外側に湾曲している。
【００２５】
上昇流路３０は、図２に示すように、下流端部が後ろに向けて徐々に曲がっている。上昇流路３０は、便鉢部１０よりも後方であり、便鉢部１０の上端開口１１よりも下方に下流端が位置している。上昇流路３０の下流端開口３３は前後水平方向を向いて開口している。また、上昇流路３０の下流端開口３３は、便器排水路において最も高い位置であり、溢れ面を形成している。このため、上昇流路３０の下流端開口３３の下面が溢れ面の下端３３Ａである。溢れ面の下端３３Ａは左右水平方向に伸びている。上昇流路３０は溢れ面の下端３３Ａより下方が封水部の一部を構成している。封水部は、便鉢部１０の下部、導入路２０、及び溢れ面の下端３３Ａより下方の上昇流路３０によって構成されている。
【００２６】
下降流路５０は、図２〜図４に示すように、上流端が上昇流路３０の下流端に連続している。下降流路５０は、上流端部が下方向に徐々に曲がり、下方に伸びている。便器排水管７は、図２に示すように、下降流路５０の上部の途中から分岐して上方後側に広がる空洞部７０を形成している。空洞部７０は下降流路５０に連続している。下降流路５０は、図２及び図３に示すように、下流端部が後ろに向けて曲がっている。下降流路５０は下流端開口５３が前後水平方向を向いて開口している。下降流路５０の下流端開口５３が便器排水路の最下端に位置している。
【００２７】
下降流路５０は、図２〜図４に示すように、内周面５１の後側５１Ｂが下方に向けて内側へ傾斜している。下降流路５０の内周面５１の後側５１Ｂとは、下降流路５０の流路方向に直交する断面形状において、左右最大幅部分よりも後側のことである。下降流路５０の内周面５１の後側５１Ｂは、図３及び図９に示すように、左右両端部の傾斜角度βが左右中央部の傾斜角度αに比べて急である。また、下降流路５０の内周面５１の後側５１Ｂは、図２及び図３に示すように、鉛直方向の断面形状において、外側に膨らむ湾曲面で形成されている。この下降流路５０は下方に向けて流路面積を小さくしている。
【００２８】
下降流路５０は、図２〜図４に示すように、内周面５１の後側５１Ｂから内側に張り出して左右方向に伸びた段部５５を有している。段部５５は下降流路５０の内周面５１の後側５１Ｂの下端近傍に形成されている。つまり、段部５５は下降流路５０の下部に形成されている。また、段部５５の張り出し幅は、図４に示すように、左右中央部から左右方向に向けて徐々に大きくなっている。つまり、段部５５は張り出し幅が左右中央部に比べて左右両端部を大きくしている。
【００２９】
下降流路５０は、図２及び図３に示すように、内側に張り出した段部５５の先端から下方に向けて後側へ傾斜した傾斜面５７を有している。この傾斜面５７は上下方向で内側に膨らんで湾曲している。つまり、下降流路５０は、内周面５１の後側５１Ｂが段部５５の下側において、下方に向けて後側へ傾斜する傾斜面５７を有している。
【００３０】
下降流路５０は内周面５１の前側５１Ａが下方に向けて内側に僅かに傾斜している。下降流路５０の内周面５１の前側５１Ａとは、下降流路５０の流路方向に直交する断面形状において、左右最大幅部分よりも前側のことである。下降流路５０の内周面の前側は外側に膨らむ湾曲面で形成されている。下降流路５０は内周面５１の前側５１Ａの左右中央部における傾斜角度が内周面５１の後側５１Ｂの左右中央部に比べて急である。
【００３１】
下降流路５０は、図２〜図４に示すように、溢れ面の下端３３Ａ（上昇流路３０の下流端の下面であり、下降流路５０の内周面５１の前側５１Ａの上端）から下降流路５０の内周面５１の前側５１Ａの左右両側に伸びる棚部５９が形成されている。この棚部５９は、僅かに下り傾斜し、下降流路５０が左右最大幅になるところまで伸びている。溢れ面の下端３３Ａを越流した洗浄水の一部が、この棚部５９の上面を流れ、下降流路５０の内周面５１に沿って後方に向けて流れる。つまり、この棚部５９が溢れ面の下端３３Ａから下降流路５０の内周面に沿って後方に向けて洗浄水を案内する案内部である。
【００３２】
下降流路５０は、図５〜図８に示すように、段部５５よりも下方の内周面５１の前側５１Ａが、流路方向に直行する断面形状において、左右両端よりも左右中央部が外側に突出した山型である。また、この山型である部分（下降流路５０の段部５５よりも下方の内周面５１の前側５１Ａ）の流路方向に直交する断面形状において、内周面５１の前側５１Ａの左右中央部から左右両端部における外側への膨らみが段部５５よりも上方の膨らみに比べて少ない。
【００３３】
横引き流路９０は、図２及び図３に示すように、上流端が下降流路５０の下流端に連続している。横引き流路９０は後方に伸びている。横引き流路９０は、上流端から中間部まで、内周面９１の上側９１Ａが後方に向けて上側へ傾斜し、内周面９１の下側９１Ｂが前後方向に略水平に伸びている。横引き流路９０は、内周面９１の下側９１Ｂが中間部で上方に立ち上がっており、中間部から下流端まで前後水平方向に伸びている。横引き流路９０の中間部から下流端までを形成する便器排水管７は、略円筒形状であり、後端縁の外周縁から外側に広がる鍔部９３を有している。この便器排水管７の下流端部は、水洗式便器が設置される部屋の壁面に引き出された図示しない排水管に連結される。
【００３４】
この便器排水路を備えた水洗式便器は、便器洗浄を開始すると、図１に示すように、便鉢部材５に形成された吐水孔５Ａから洗浄タンクに貯留した洗浄水が便鉢部１０へ吐水される。便鉢部１０へ吐水された洗浄水は便鉢部１０内を、上方から見た平面視において、反時計方向に旋回しつつ、導入路２０へ向けて流下する。
【００３５】
便器洗浄初期において、導入路２０及び上昇流路３０を流れて、溢れ面の下端３３Ａを越流した洗浄水は、図３に示すように、下降流路５０の内周面５１の前側５１Ａに沿って流下する（矢印Ｓ１で示す流れ）とともに、一部が棚部５９の上面を流れて下降流路５０の内周面５１に沿って後方に向けて流れつつ、下降流路５０の内周面５１の後側５１Ｂに沿って流下する（矢印Ｓ２に示す流れ）。このため、下降流路５０の内周面５１の後側５１Ｂの上部全体に洗浄水が流れる。また、下降流路５０は、図３及び図９に示すように、内周面５１の後側５１Ｂの左右両端部の傾斜角度βが左右中央部の傾斜角度αに比べて急であるため、下降流路５０の内周面５１の後側５１Ｂの左右両端部において、洗浄水が流下し易い。このため、下降流路５０の内周面の全体を洗浄水が流下する。
【００３６】
下降流路５０の内周面５１の後側５１Ｂに沿って流下した洗浄水は、下降流路５０の内周面５１の後側５１Ｂが下方に向けて内側へ傾斜し、鉛直方向の断面形状において、外側に膨らむ湾曲面で形成されているため、流れ方向が下方のみでなく下降流路５０の内側（中央部）へ向いて流れる。
【００３７】
そして、下降流路５０の内周面５１の後側５１Ｂに沿って流下した洗浄水は、下降流路５０の下端近傍に形成された段部５５に勢いよく衝突して流れ方向が変化し、中央部に向けて流れ落ちる。この際、段部５５は張り出し幅が左右中央部から左右方向に向けて徐々に大きくなっているため、下降流路５０の内周面５１の後側５１Ｂの左右両端部に沿って流れる洗浄水も段部５５に衝突して流れ方向が変化し、中央部に向けて流れ落ちる。このように、下降流路５０の内周面５１の後側５１Ｂに沿って流れる洗浄水の全体が下降流路５０の中央部に向けて流れ落ちる。
【００３８】
また、下降流路５０は、図５〜図８に示すように、流路方向に直交する断面形状において、段部５５よりも下方の内周面５１の前側５１Ａが左右両端よりも左右中央部が外側に突出し、左右中央部から左右両端部に向けた内周面５１の外側への膨らみが段部５５よりも上方の膨らみに比べて少ない山型である。このため、下降流路５０の段部５５よりも下方において水膜が形成される領域Ｒ（図３参照）において、流路面積を確保しつつ、下降流路５０の前側において左右両側の空間が小さい。よって、この便器排水路は、下降流路５０の内周面５１の前側５１Ａに沿って流れた洗浄水と、下降流路５０の内周面５１の後側５１Ｂに沿って流れた洗浄水とが、水膜が形成される領域Ｒにおける左右両側においても合流し易い。水膜が形成される領域Ｒは、段部５５より下方であり、下降流路５０が後に向けて曲がっている領域である。
【００３９】
このように、下降流路５０の内周面５１の前側５１Ａに沿って流下した洗浄水と、下降流路５０の内周面５１の後側５１Ｂに沿って流れた洗浄水とが、下降流路５０の中央部に集まり、水膜が形成される。このため、この便器排水路は、少ない洗浄水で水膜を形成し、早期にサイホン作用が発生する。
【００４０】
また、下降流路５０は内周面５１の前側５１Ａの左右中央部における傾斜角度が内周面５１の後側５１Ｂの左右中央部に比べて急であるため、下降流路の前後方向に長さを抑え、便器排水路をコンパクトにすることができる。
【００４１】
この便器排水路は、下降流路５０が上方に行くほど流路面積が大きく形成されているため、サイホン作用が発生する際の下降流路５０の水位の上昇が少ない。このため、この水洗式便器は、便器洗浄を実行した際の便鉢部１０内の水位の上昇も少なく、便鉢部１０内の下部で汚物が旋回して集まり、汚物が便鉢部１０内で広がらない。
【００４２】
この便器排水路の段部５５は、下降流路５０の内周面５１の後側５１Ｂに沿って流れる洗浄水が衝突して流れ方向が中央部に向けて流れるように変化させることができればよく、内部への張り出しが小さくてよい。このため、この便器排水路は、サイホン作用が発生し、下降流路５０を汚物が流れる際、汚物が段部５５に引っ掛かり難く、汚物の排出を良好に行うことができる。
【００４３】
また、この便器排水路の下降流路５０は、内側に張り出した段部５５の先端から下方に向けて後側へ傾斜する傾斜面５７を有している。これによって、下降流路５０から横引き流路９０への洗浄水の流れをスムーズにすることができる。よって、この便器排水路は、紙等の汚物が下降流路５０の内周面５１の後側５１Ｂの下端部に引っ掛かることなく、良好に排出することができる。
【００４４】
このように実施例１の便器排水路は、水洗式便器の便鉢部１０の下部に連通しており、斜め上方に伸びて下流端が便鉢部１０よりも後方に位置した上昇流路３０と、この上昇流路３０の下流端に連続して下方に伸びており、内周面５１の後側５１Ｂから内側に張り出して左右方向に伸びている段部５５を有した下降流路５０と、この下降流路５０の下流端に連続して後方に伸びた横引き流路９０とを備えている。
【００４５】
このため、この便器排水路は、下降流路５０の内周面５１の後側５１Ｂに沿って流下した洗浄水が段部５５に衝突して流れ方向が変化し、下降流路５０の中央部に向けて流れ落ちる。これによって、この便器排水路は、下降流路５０の内周面５１の前側５１Ａに沿って流下した洗浄水と、下降流路５０の内周面５１の後側５１Ｂに沿って流下した洗浄水とが、下降流路５０の中央部に集まり、少ない洗浄水で早期に水膜を形成することができる。このように、この便器排水路は、下降流路５０を流下する洗浄水の流量が少なくても、水膜が形成され、サイホン作用を発生させることができる。
【００４６】
したがって、実施例１の便器排水路は少ない洗浄水で早期にサイホン作用を発生させることができる。
【００４７】
また、この便器排水路の段部５５は、下降流路５０の内周面５１の後側５１Ｂに沿って流れる洗浄水が衝突して流れ方向が中央部に向けて流れるように変化させることができればよく、内部への張り出しが小さくてよい。このため、この便器排水路は、汚物が段部５５に引っ掛かり難く、汚物の排出を良好に行うことができる。
【００４８】
また、便器排水路の段部５５は下降流路５０の下部に形成されている。このため、下降流路５０の内周面５１の後側５１Ｂに沿って流下した洗浄水が勢いよく段部５５に衝突する。これによって、下降流路５０の内周面５１の前側５１Ａに沿って流下した洗浄水とともに、下降流路５０の中央部で洗浄水が集まり、水膜を形成し易くなる。よって、この便器排水路は、下降流路５０を流れる洗浄水の流量が少なくても、水膜が形成され、サイホン作用を発生させることができる。
【００４９】
また、この便器排水路の段部５５は張り出し幅が左右中央部に比べて左右両端部を大きくしている。これによって、下降流路５０の内周面５１の後側５１Ｂに沿って流れる洗浄水の全体が下降流路５０の中央部に向けて流れ落ちるようにすることができる。よって、この便器排水路は、下降流路５０を流下する洗浄水の流量が少なくても、水膜が形成され、サイホン作用を発生させることができる。
【００５０】
また、この便器排水路の下降流路５０は、内周面５１の後側５１Ｂが段部５５の下側において、下方に向けて後側へ傾斜する傾斜面５７を有している。これによって、下降流路５０から横引き流路９０への洗浄水の流れをスムーズにすることができる。このため、この便器排水路は、紙等の汚物が下降流路５０の内周面５１の後側５１Ｂの下端部に引っ掛かることなく、良好に排出することができる。
【００５１】
また、この便器排水路の下降流路５０は内周面５１の後側５１Ｂが下方に向けて内側へ傾斜している。これによって、下降流路５０の内周面５１の後側５１Ｂに沿って流下する洗浄水の流れ方向が、下方のみでなく下降流路５０の内側（中央部）へ向く。このため、この便器排水路は、下降流路５０の内周面５１の後側５１Ｂに沿って流下した洗浄水が下降流路５０の中央部に向けて流れ落ち、水膜が形成され、サイホン作用を発生させることができる。
【００５２】
また、この便器排水路の下降流路５０は、流路方向に直交する断面形状において、段部５５よりも下方の内周面５１の前側５１Ａが左右両端よりも左右中央部が外側に突出し、左右中央部から左右両端部に向けた内周面５１の外側への膨らみが段部５５よりも上方の膨らみに比べて少ない山型である。これによって、下降流路５０の段部５５よりも下方の水膜が形成される領域において、流路面積を確保しつつ、下降流路５０の前側において左右両側の空間を小さくすることができる。このため、この便器排水路は、下降流路５０の内周面５１の前側５１Ａに沿って流れた洗浄水と、下降流路５０の内周面５１の後側５１Ｂに沿って流れた洗浄水とが、水膜を形成する領域における左右両側においても合流し易く、水膜を形成することができる。よって、この便器排水路は、下降流路５０を流れる洗浄水の流量が少なくても、サイホン作用を発生させることができる。
【００５３】
また、この便器排水路の下降流路５０は溢れ面の下端３３Ａから下降流路５０の内周面５１に沿って後方に向けて洗浄水を案内する案内部である棚部５９を有している。これによって、この便器排水路は、上昇流路３０から下降流路５０に流れた洗浄水の一部が棚部５９の上面を流れて下降流路５０の内周面５１に沿って後方に向けて流れ、下降流路５０の内周面５１の後側５１Ｂの上部全体に洗浄水を流すことができる。このため、この便器排水路は、下降流路５０の内周面５１の全体から洗浄水が流下するため、水膜が形成され易く、サイホン作用を発生させることができる。
【００５４】
本発明は上記記述及び図面によって説明した実施例１に限定されるものではなく、例えば次のような実施例も本発明の技術的範囲に含まれる。
（１）実施例１では、段部を下降流路の内周面の後側の下端近傍に形成したが、段部は下端近傍でなくても下降流路の内周面の後側に形成してもよい。
（２）実施例１では、段部の張り出し幅が左右中央部から左右方向に向けて徐々に大きくしたが、段部の張り出し幅は左右中央部から左右方向に向けて同じであってもよい。また、左右両端部のみを左右中央部に比べて大きく張り出してもよい。
（３）実施例１では、内側に張り出した段部の先端から下方に向けて後側へ傾斜する傾斜面を有していたが、このような傾斜面を有していなくてもよい。
（４）実施例１では、下降流路の内周面の後側が下方に向けて内側へ傾斜していたが、下降流路の内周面の後側は鉛直方向に伸びていてもよい。
（５）実施例１では、流路方向に直交する断面形状において、段部よりも下方の内周面の前側が左右両端よりも左右中央部が外側に突出し、左右中央部から左右両端部に向けた内周面の外側への膨らみが段部よりも上方に比べて少ない山型であったが、下降流路の内周面の前側は段部の上下において同じ形状であってもよい。
（６）実施例１では、溢れ面の下端から下降流路の内周面に沿って後方に向けて洗浄水を案内する案内部である棚部を有していたが、棚部を有しなくてもよい。
（７）実施例１では、下降流路の内周面の後側の左右両端部の傾斜角度が左右中央部に比べて急であったが、下降流路の内周面の後側の傾斜角度は左右両端部と左右中央部で同じであってもよい。
（８）実施例１では、下降流路の内周面の後側が外側に膨らむ湾曲面を有していたが、湾曲面でなく平面であってもよい。
（９）実施例１では、段部が下降流路の内周面の後側に設けられていたが、下降流路の内周面の前側の一部まで伸びていてもよい。
（１０）実施例１では、棚部が案内部を構成していたが、棚部でなくとも洗浄水を下降流路の内周面の後側に案内する形状であればよい。
【符号の説明】
【００５５】
１０…便鉢部
３０…上昇流路
３３…（上昇流路の）下流端開口（溢れ面）
３３Ａ…溢れ面の下端
５０…下降流路
５１…（下降流路の）内周面
５１Ａ…（下降流路の内周面の）前側
５１Ｂ…（下降流路の内周面の）後側
５５…段部
５７…傾斜面
５９…棚部（案内部）
９０…横引き流路
【図１】
2017043943.tif 000003
【図２】
2017043943.tif 000004
【図３】
2017043943.tif 000005
【図４】
2017043943.tif 000006
【図５】
2017043943.tif 000007
【図６】
2017043943.tif 000008
【図７】
2017043943.tif 000009
【図８】
2017043943.tif 000010
【図９】
2017043943.tif 000011